【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
ビデオ情報の１つまたは複数のレイヤを記憶するように構成されたメモリと、各レイヤが少なくとも１つのピクチャを備える、
前記メモリに動作可能に結合され、
前記１つまたは複数のレイヤの少なくとも１つのピクチャに関連付けられたアクティブ参照レイヤピクチャの個数を決定し、アクティブ参照レイヤピクチャの前記個数は、前記少なくとも１つのピクチャがレイヤ間予測に利用し得るピクチャの個数を示す、
前記１つまたは複数のレイヤのうちの前記少なくとも１つのピクチャに関連付けられた直接参照レイヤの個数を決定し、直接参照レイヤの前記個数は、前記少なくとも１つのピクチャを含むレイヤがレイヤ間予測に利用し得るレイヤの個数を示す、
直接参照レイヤの前記個数がアクティブ参照レイヤピクチャの前記個数と等しいかどうかを決定し、
直接参照レイヤの前記個数がアクティブ参照レイヤピクチャの前記個数と等しいことの前記決定に基づいて、前記１つまたは複数のレイヤのうちの前記少なくとも１つのピクチャに関連付けられたビデオスライス内でレイヤ間参照ピクチャ情報をさらにシグナリングすることを控え、
直接参照レイヤの前記個数がアクティブ参照レイヤピクチャの前記個数と等しくないことの前記決定に基づいて、前記１つまたは複数のレイヤのうちの前記少なくとも１つのピクチャに関連付けられたビデオスライス内でレイヤ間参照ピクチャ情報をシグナリングする
ように構成されたプロセッサと
を備える、ビデオ情報を符号化するための装置。
【請求項２】
前記プロセッサは、前記少なくとも１つのピクチャによってレイヤ間予測に使用されうるピクチャのレイヤ識別を表す変数を指定する任意のさらなるシンタックス要素を含めることを控えるように構成される、請求項１に記載の装置。
【請求項３】
前記アクティブ参照レイヤピクチャは、各時間サブレイヤ内のレイヤごとにビデオパラメータセット内で指定されるレイヤ内のピクチャを備える、請求項１に記載の装置。
【請求項４】
前記装置は、前記メモリと前記プロセッサとを備えるデバイスをさらに備え、前記デバイスは、デジタルテレビジョン、デジタル直接ブロードキャストシステム、ワイヤレスブロードキャストシステム、携帯情報端末（ＰＤＡ）、ラップトップコンピュータもしくはデスクトップコンピュータ、デジタルカメラ、デジタル記録デバイス、デジタルメディアプレイヤ、ビデオゲーミングデバイス、ビデオゲーム機、セルラー電話機もしくは衛星無線電話機、またはビデオ会議デバイスのうちの少なくとも１つを備える、請求項１に記載の装置。
【請求項５】
ビデオ情報の１つまたは複数のレイヤを記憶するように構成されたメモリと、各レイヤが少なくとも１つのピクチャを備える、
前記メモリに動作可能に結合され、
前記１つまたは複数のレイヤのうちの少なくとも１つに関連付けられたアクティブ参照レイヤピクチャの個数を決定し、アクティブ参照レイヤピクチャの前記個数は、前記少なくとも１つのピクチャがレイヤ間予測に利用し得るピクチャの個数を示す、
前記１つまたは複数のレイヤのうちの前記少なくとも１つのピクチャに関連付けられた直接参照レイヤの個数を決定し、直接参照レイヤの前記個数は、前記少なくとも１つのピクチャを含むレイヤがレイヤ間予測に利用し得るレイヤの個数を示す、
直接参照レイヤの前記個数がアクティブ参照レイヤピクチャの前記個数と等しくないことを決定し、
直接参照レイヤの前記個数がアクティブ参照レイヤピクチャの前記個数と等しくないことの前記決定に基づいて、前記１つまたは複数のレイヤのうちの前記少なくとも１つのピクチャによってレイヤ間予測に使用されうるピクチャのレイヤ識別を表す変数を指定するシンタックス要素を受け取る
ように構成されたプロセッサと
を備える、ビデオ情報を復号するための装置。
【請求項６】
前記アクティブ参照レイヤピクチャは、各時間サブレイヤ内のレイヤごとにビデオパラメータセット内で指定されるレイヤ内のピクチャを備える、請求項５に記載の装置。
【請求項７】
前記装置は、前記メモリと前記プロセッサとを備えるデバイスをさらに備え、前記デバイスは、デジタルテレビジョン、デジタル直接ブロードキャストシステム、ワイヤレスブロードキャストシステム、携帯情報端末（ＰＤＡ）、ラップトップコンピュータもしくはデスクトップコンピュータ、デジタルカメラ、デジタル記録デバイス、デジタルメディアプレイヤ、ビデオゲーミングデバイス、ビデオゲーム機、セルラー電話機もしくは衛星無線電話機、またはビデオ会議デバイスのうちの少なくとも１つを備える、請求項５に記載の装置。
【請求項８】
ビデオ情報の１つまたは複数のレイヤを受け取ることと、各レイヤが少なくとも１つのピクチャを備える、
前記１つまたは複数のレイヤのうちの少なくとも１つに関連付けられたアクティブ参照レイヤピクチャの個数を決定することと、アクティブ参照レイヤピクチャの前記個数は、前記少なくとも１つのピクチャがレイヤ間予測に利用し得るピクチャの個数を示す、
前記１つまたは複数のレイヤのうちの前記少なくとも１つのピクチャに関連付けられた直接参照レイヤの個数を決定することと、直接参照レイヤの前記個数は、前記少なくとも１つのピクチャを含むレイヤがレイヤ間予測に利用し得るレイヤの個数を示す、
直接参照レイヤの前記個数がアクティブ参照レイヤピクチャの前記個数と等しいかどうかを決定することと、
直接参照レイヤの前記個数がアクティブ参照レイヤピクチャの前記個数と等しいことの前記決定に基づいて、前記１つまたは複数のレイヤのうちの前記少なくとも１つのピクチャに関連付けられたビデオスライス内でレイヤ間参照ピクチャ情報をさらにシグナリングすることを控えること、または、
直接参照レイヤの前記個数がアクティブ参照レイヤピクチャの前記個数と等しくないことの前記決定に基づいて、前記１つまたは複数のレイヤのうちの前記少なくとも１つのピクチャに関連付けられたビデオスライス内でレイヤ間参照ピクチャ情報をシグナリングすること
を備える、ビデオ情報を符号化する方法。
【請求項９】
レイヤ間参照ピクチャ情報をさらにシグナリングすることを前記控えることは、前記少なくとも１つのピクチャによってレイヤ間予測に使用されうるピクチャのレイヤ識別を表す変数を指定する任意のさらなるシンタックス要素を含めることを控えることを備える、請求項８に記載の方法。
【請求項１０】
前記アクティブ参照レイヤピクチャは、各時間サブレイヤ内のレイヤごとにビデオパラメータセット内で指定されるレイヤ内のピクチャを備える、請求項８に記載の方法。
【請求項１１】
ビデオ情報の１つまたは複数のレイヤを受け取ることと、各レイヤが少なくとも１つのピクチャを備える、
前記１つまたは複数のレイヤの少なくとも１つのピクチャに関連付けられたアクティブ参照レイヤピクチャの個数を決定することと、アクティブ参照レイヤピクチャの前記個数は、前記少なくとも１つのピクチャがレイヤ間予測に利用し得るピクチャの個数を示す、
前記１つまたは複数のレイヤのうちの前記少なくとも１つのピクチャに関連付けられた直接参照レイヤの個数を決定することと、直接参照レイヤの前記個数は、前記少なくとも１つのピクチャを含むレイヤがレイヤ間予測に利用し得るレイヤの個数を示す、
直接参照レイヤの前記個数がアクティブ参照レイヤピクチャの前記個数と等しいことを決定することと、
直接参照レイヤの前記個数がアクティブ参照レイヤピクチャの前記個数と等しくないことの前記決定に基づいて、前記１つまたは複数のレイヤのうちの前記少なくとも１つのピクチャによってレイヤ間予測に使用されうるピクチャのｎｕｈ  ｌａｙｅｒ  ｉｄを表す変数を指定するシンタックス要素を受け取ることと
を備える、ビデオ情報を復号する方法。
【請求項１２】
前記アクティブ参照レイヤピクチャは、各時間サブレイヤ内のレイヤごとにビデオパラメータセット内で指定されるレイヤ内のピクチャを備える、請求項１１に記載の方法。
【請求項１３】
ビデオ情報の１つまたは複数のレイヤを記憶するための手段と、各レイヤが少なくとも１つのピクチャを備える、
前記１つまたは複数のレイヤの少なくとも１つのピクチャに関連付けられたアクティブ参照レイヤピクチャの個数を決定するための手段と、アクティブ参照レイヤピクチャの前記個数は、前記少なくとも１つのピクチャがレイヤ間予測に利用し得るピクチャの個数を示す、
前記１つまたは複数のレイヤのうちの前記少なくとも１つのピクチャに関連付けられた直接参照レイヤの個数を決定するための手段と、直接参照レイヤの前記個数は、前記少なくとも１つのピクチャを含むレイヤがレイヤ間予測に利用し得るレイヤの個数を示す、
直接参照レイヤの前記個数がアクティブ参照レイヤピクチャの前記個数と等しくないことを決定するための手段と、
直接参照レイヤの前記個数がアクティブ参照レイヤピクチャの前記個数と等しくないことの前記決定に基づいて、前記少なくとも１つのピクチャによってレイヤ間予測に使用されうるピクチャのレイヤ識別を表す変数を指定するシンタックス要素を受け取るための手段と
を備えるビデオコーディング装置。
【請求項１４】
実行された時に、装置に、
ビデオ情報の１つまたは複数のレイヤを受け取らせ、各レイヤが少なくとも１つのピクチャを備える、
前記１つまたは複数のレイヤの少なくとも１つのピクチャに関連付けられたアクティブ参照レイヤピクチャの個数を決定させ、アクティブ参照レイヤピクチャの前記個数は、前記少なくとも１つのピクチャがレイヤ間予測に利用し得るピクチャの個数を示す、
前記１つまたは複数のレイヤのうちの前記少なくとも１つのピクチャに関連付けられた直接参照レイヤの個数を決定させ、直接参照レイヤの前記個数は、前記少なくとも１つのピクチャを含むレイヤがレイヤ間予測に利用し得るレイヤの個数を示す、
直接参照レイヤの前記個数がアクティブ参照レイヤピクチャの前記個数と等しいことを決定させ、
直接参照レイヤの前記個数がアクティブ参照レイヤピクチャの前記個数と等しくないことの前記決定に基づいて、前記１つまたは複数のレイヤのうちの前記少なくとも１つのピクチャによってレイヤ間予測に使用されうるピクチャのレイヤ識別を表す変数を指定するシンタックス要素を受け取らせる
コードをその上に記憶された非一時的コンピュータ可読媒体。